(57)【特許請求の範囲】
【請求項１】
複数の移動局の中から選択した移動局宛てのユーザデータと該ユーザデータに関する制御データとを含むデータを格納した無線フレームを順次送信可能な基地局に於いて、
前記複数の移動局のうち周辺セルからの受信信号についての測定が必要な特定の移動局について、該特定の移動局宛てのデータを格納しない複数の無線フレームを設定し、該特定の移動局に対して、該特定の移動局宛てのデータを格納しない複数の無線フレームの配置パターンを特定可能とした情報を各移動局についての前記無線フレームを送信する共有チャネルを介して通知することにより、該特定の移動局において、自局宛ての前記データが格納されない無線フレームの期間内に前記測定を実行可能とする通知手段と、
前記特定の移動局宛てのデータを格納しない複数の無線フレームを生成すると共に、該生成する無線フレーム以外の無線フレームについて前記特定の移動局を送信先の選択の候補に含める制御手段と
を備えたことを特徴とする基地局。
【請求項２】
複数の移動局の中から選択した移動局宛てのユーザデータと該ユーザデータに関する制御データとを含むデータを格納した無線フレームを順次送信可能な基地局から無線信号を受信する移動局に於いて、
前記基地局で、前記複数の移動局のうち周辺セルからの受信信号についての測定が必要な移動局について、該周辺セルからの受信信号についての測定が必要な移動局宛てのデータを格納しない複数の無線フレームを設定し、前記基地局が生成する自局に対するデータを格納しない複数の無線フレームに関して、設定された複数の無線フレームの配置パターンを特定可能とした情報を、前記基地局が各移動局についての前記無線フレームを送信する共有チャネルを介して受信する受信手段と、
該自局に対するデータを格納しない複数の無線フレームの期間内に、前記基地局と異なる他の基地局からの無線信号を受信して測定する測定手段と
を備えたことを特徴とする移動局。
【請求項３】
複数の移動局と、該複数の移動局の中から選択した移動局宛てのユーザデータと該ユーザデータに関する制御データとを含むデータを格納した無線フレームを順次送信可能な基地局とを有する無線通信システムに於いて、
前記基地局は、
前記複数の移動局のうち周辺セルからの受信信号についての測定が必要な特定の移動局について、該特定の移動局宛てのデータを格納しない複数の無線フレームを設定し、該特定の移動局に対して、該特定の移動局宛てのデータを格納しない複数の無線フレームの配置パターンを特定可能とした情報を各移動局についての前記無線フレームを送信する共有チャネルを介して通知する通知手段と、
前記特定の移動局宛てのデータを格納しない複数の無線フレームを生成すると共に、該生成する無線フレーム以外の無線フレームについて前記特定の移動局を送信先の選択の候補に含める制御手段とを備え、
前記特定の移動局は、該特定の移動局に対するデータを格納しない複数の無線フレームの期間内に、該基地局と異なる他の基地局からの無線信号を受信して測定する測定手段
を備えたことを特徴とする無線通信システム。
【請求項４】
複数の移動局と、該複数の移動局の中から選択した移動局宛てのユーザデータと該ユーザデータに関する制御データとを含むデータを格納した無線フレームを順次送信可能な基地局との間の無線通信方法に於いて、
前記基地局で、前記複数の移動局のうち周辺セルからの受信信号についての測定が必要な特定の移動局について、該特定の移動局宛てのデータを格納しない複数の無線フレームを設定し、前記基地局から、該特定の移動局に対して、該特定の移動局宛てのデータを格納しない複数の無線フレームの配置パターンを特定可能とした情報を各移動局についての前記無線フレームを送信する共有チャネルを介して通知し、
前記基地局で、前記特定の移動局宛てのデータを格納しない複数の無線フレームを生成すると共に、該生成する無線フレーム以外の無線フレームについて前記特定の移動局を送信先の選択の候補に含め、
前記特定の移動局で、該特定の移動局に対するデータを格納しない複数の無線フレームの期間内に、該基地局と異なる他の基地局からの無線信号を受信して測定する
ことを特徴とする無線通信方法。
【発明の詳細な説明】
【技術分野】
【０００１】
本発明は、移動局が基地局との間で無線通信すると共に、ハンドオーバが円滑に実施できる基地局及び移動局及び無線通信システム及び無線通信方法に関する。
【背景技術】
【０００２】
現在、様々な方式を採用した無線通信システムが実用化されている。実用化された無線通信システムの一つとして、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式がある。また、このＷ−ＣＤＭＡ方式を適用すると共に、下りリンクに於ける伝送速度を、最大１４Ｍｂｐｓとする為のＨＳＤＰＡ（Ｈｉｇｈ  Ｓｐｅｅｄ  Ｄｏｗｎｌｉｎｋ  Ｐａｃｋｅｔ  Ａｃｃｅｓｓ）の実用化が進められている。このＨＳＤＰＡ方式は、伝送するパケットについて、適応符号化変調方式を採用するもので、例えば、ＱＰＳＫ（Ｑｕａｄｒａｔｕｒｅ  Ｐｈａｓｅ  Ｓｈｉｆｔ  Ｋｅｙｉｎｇ）変調方式と、１６値ＱＡＭ（Ｑｕａｄｒａｔｕｒｅ  Ａｍｐｌｉｔｕｄｅ  Ｍｏｄｕｌａｔｉｏｎ）方式とを、無線伝搬路の状態に対応した伝送レートとなるように、適応的に切替えるものである。
【０００３】
又ＨＳＤＰＡ方式に於いては、Ｈ−ＡＲＱ（Ｈｙｂｒｉｄ  Ａｕｔｏｍａｔｉｃ  Ｒｅｐｅａｔ  Ｒｅｑｕｅｓｔ）方式を採用しており、例えば、移動局は、基地局からの受信データについて、誤りを検出すると、基地局へ再送信の要求を行うことにより、基地局からはデータの再送信が行われ、移動局は、受信済みのデータと、再送信されたデータとの双方を用いて誤り訂正復号化処理を行う手段が適用される（例えば、非特許文献１又は非特許文献２参照）。
【０００４】
又ＨＳＤＰＡ方式に於ける主な無線チャネルは、ＨＳ−ＳＣＣＨ（Ｈｉｇｈ  Ｓｐｅｅｄ−Ｓｈａｒｅｄ  Ｃｏｎｔｒｏｌ  Ｃｈａｎｎｅｌ）、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）、ＨＳ−ＤＰＣＣＨ（Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ）等がある。
【０００５】
前述の無線チャネルのＨＳ−ＳＣＣＨとＨＳ−ＰＤＳＣＨとは、無線通信システムに於ける基地局から移動局への下り方向（Ｄｏｗｎｌｉｎｋ）の共有チャネルであり、ＨＳ−ＳＣＣＨは、ＨＳ−ＰＤＳＣＨにより送信するデータに関する各種パラメータを送信する制御チャネルであり、データ送信の予告を行う為のチャネルである。この各種パラメータとしては、例えば、ＨＳ−ＰＤＳＣＨによりデータを送信する変調方式を示す変調タイプ情報や、拡散符号のコード数、送信データに対して施したレートマッチング処理のパターン情報等が含まれる。
【０００６】
又ＨＳ−ＤＰＣＣＨは、無線通信システムに於ける移動局から基地局への上り方向（Ｕｐｌｉｎｋ）の個別制御チャネルであり、ＨＳ−ＰＤＳＣＨにより受信したデータの正常受信の可否に対応したＡＣＫ信号、ＮＡＣＫ信号を移動局から基地局へ送信する場合に使用するものである。例えば、受信データのＣＲＣエラー検出の場合等に於いてＮＡＣＫ信号を基地局へ送信し、それを基に基地局は再送処理を行うことになる。又ＨＳ−ＤＰＣＣＨは、基地局からの受信信号の受信品質（例えば、ＳＩＲ（Ｓｉｇｎａｌ  ｔｏ  Ｉｎｔｅｒｆｅｒｅｎｃｅ  Ｒａｔｉｏ））を測定し、その結果を、ＣＱＩ（Ｃｈａｎｎｅｌ  Ｑｕａｌｉｔｙ  Ｉｎｄｉｃａｔｏｒ）として基地局へ定期的に送信する為に使用するものである。基地局は、このＣＱＩに基づいて、下り方向の無線環境の良否を判定し、良好の場合は、より高速でデータを送信可能とする変調方式に切替え、反対に不良の場合は、より低速でデータを送信する変調方式等に切替えるものである。
【０００７】
図９は、前述のＨＳＤＰＡに於けるチャネル構成説明図であり、ＣＰＩＣＨ，Ｐ−ＣＣＰＣＨ，ＨＳ−ＳＣＣＨ，ＨＳ−ＰＤＳＣＨ，ＨＳ−ＤＰＣＣＨの概要を示すもので、ＣＰＩＣＨ（Ｃｏｍｍｏｎ  Ｐｉｌｏｔ  Ｃｈａｎｎｅｌ）と、Ｐ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）とは、それぞれ下り方向の共通チャネルであり、ＣＰＩＣＨは、移動局に於いてチャネル推定、セルサーチ、同一セル内に於ける他の下り物理チャネルのタイミング基準として利用するチャネルであり、所謂パイロット信号を送信する為のチャネルである。又Ｐ−ＣＣＰＣＨは、報知情報を送信する為のチャネルである。又ＨＳ−ＳＣＣＨ，ＨＳ−ＰＤＳＣＨ，ＨＳ−ＤＰＣＣＨは、前述の無線チャネルを示し、ＨＳ−ＤＰＣＣＨにより前述のＣＱＩ及びＡＣＫ／ＮＡＣＫを送信する。
【０００８】
又１５スロットにより１フレーム（１０ｍｓ）を構成し、ＣＰＩＣＨは、タイミング基準として用いる為に、Ｐ−ＣＣＰＣＨ，ＨＳ−ＳＣＣＨのフレーム先頭は、ＣＰＩＣＨのフレーム先頭と一致しているが、ＨＳ−ＰＤＳＣＨのフレーム先頭は、２スロット分遅延している。これは、移動局がＨＳ−ＰＤＳＣＨの復調を行う為に必要な情報を先に受信識別する為である。即ち、変調方式や拡散コード等の情報を予めＨＳ−ＳＣＣＨにより予告通知することにより、ＨＳ−ＰＤＳＣＨの復調、復号を行う為である。又ＨＳ−ＳＣＣＨ，ＨＳ−ＰＤＳＣＨは、３スロットで１サブフレームを構成している。
【０００９】
又ＨＳ−ＳＣＣＨによる情報は、３ＧＰＰ  ＴＳ２５．２１２ｖ．５．７．０を参照すると、次の（ａ）〜（ｇ）に示すものである。
（ａ）Ｘｃｃｓ（Ｃｈａｎｎｅｌｉｚａｔｉｏｎ  Ｃｏｄｅ  Ｓｅｔ  Ｉｎｆｏｒｍａｔｉｏｎ）；７ビット；ＨＳ−ＤＳＣＨに使用されている拡散コードの情報。
（ｂ）Ｘｍｓ（Ｍｏｄｕｌａｔｉｏｎ  Ｓｃｈｅｍｅ  Ｉｎｆｏｒｍａｔｉｏｎ）；１ビット；ＨＳ−ＤＳＣＨに使用されている変調方式。
（ｃ）Ｘｔｂｓ（Ｔｒａｎｓｐｏｒｔ−Ｂｌｏｃｋ  Ｓｉｚｅ  Ｉｎｆｏｒｍａｔｉｏｎ）；６ビット；誤り訂正符号化される送信データブロックサイズ。
（ｄ）Ｘｈａｐ（Ｈｙｂｒｉｄ−ＡＲＱ  Ｐｒｏｃｅｓｓ  Ｉｎｆｏｒｍａｔｉｏｎ）；３ビット；再送制御を行うプロセス番号。
（ｅ）Ｘｒｖ；（Ｒｅｄｕｎｄａｎｃｙ  ａｎｄ  Ｃｏｎｓｔｅｌｌａｔｉｏｎ  Ｖｅｒｓｉｏｎ）；３ビット；レートマッチングのパラメータ。
（ｆ）Ｘｎｄ；Ｎｅｗ Ｄａｔａ Ｉｎｄｉｃａｔｏｒ；１ビット；新規データかどうかの情報。
（ｇ）Ｘｕｅ；ＵＥ Ｉｄｅｎｔｉｔｙ；１６ビット；ユーザ識別情報。
以上のように、合計３７ビットの構成であり、このＨＳ−ＳＣＣＨを受信することにより、ＨＳ−ＤＳＣＨで用いられている変調方式、拡散コード、誤り訂正のパラメータ等を知ることができる。従って、それらのパラメータに従ってＨＳ−ＰＤＳＣＨを復調，復号することができる。
【００１０】
前記（ａ）Ｘｃｃｓは、ＨＳ−ＰＤＳＣＨによりデータを送信する時の拡散コードを示すもので、例えば、マルチコード数とコードオフセットとの組み合わせを示すことができる。又（ｂ）Ｘｍｓは、変調方式が例えばＱＰＳＫか１６値ＱＡＭかを“０”、“１”により示すものである。又（ｃ）Ｘｔｂｓは、ＨＳ−ＰＤＳＣＨの１サブフレームで送信するデータサイズを算出する為のデータであり、又（ｄ）Ｘｈａｐは、Ｈ−ＡＲＱのプロセス番号を示すもので、再送時には、前回の送信データのプロセス番号と同一の番号を用いる。
【００１１】
又（ｅ）Ｘｒｖは、ＨＳ−ＰＤＳＣＨの再送信時に於ける冗長バージョンパラメータ、コンスタレーションパラメータを示すもので、新規送信や再送信に於いてパラメータを更新する場合と、変更しない場合とがある。又（ｆ）Ｘｎｄは、ＨＳ−ＰＤＳＣＨの送信ブロックが新規ブロックか再送ブロックかを示すデータであって、新規ブロックは、“１”、“０”を交互に変化させ、再送ブロックは、前と同一として変化させないことにより、区別するものである。又（ｇ）Ｘｕｅは、移動局（ユーザ）の識別情報である。
【００１２】
前述のＨＳ−ＳＣＣＨを受信することにより、ＨＳ−ＰＤＳＣＨで適用されている変調方式、拡散コード、誤り訂正のパラメータ等を認識して、ＨＳ−ＰＤＳＣＨの復調、復号を行うことができる。（非特許文献１又は非特許文献２又は非特許文献３参照）。
【００１３】
前述のＷ−ＣＤＭＡ方式にＨＳＤＰＡ方式を適用してパケット伝送を行う場合の動作について簡単に説明する。基地局は、共有チャネル（ＨＳ−ＰＤＳＣＨ）を介してデータの送信を行うため、この共有チャネルを介してデータを送信する対象の移動局を、複数の移動局の中から選択する。そして、選択した移動局宛てのデータを格納した無線フレームを順次送信するが、データ送信の予告を、制御チャネル（ＨＳ−ＳＣＣＨ）を介してデータ送信に対して先行して行う。例えば、図１０に示すように、基地局は、ある移動局に対してデータ（パケット）を送信する際には、データ（パケット）を送信することを示す制御チャネル（ＨＳ−ＳＣＣＨ）によるシグナリングを送信する。一方、移動局は、常時この制御チャネルを監視して、自移動局宛のシグナリング検出により、データパケットの受信処理を行うものである。尚、図１０に於いて、点線枠で示したシグナリング信号は、他の移動局宛てについてのものか、又は送信予告を行う対象の移動局が存在せず、シグナリング信号を送信しない場合を示したものである。勿論、シグナリング信号を送信しない部分に対応するデータの送信は行われない。
【００１４】
さて、上述したように、共有チャネルを介して基地局からデータの送信を行うと共に、ハンドオーバ処理を行うとすると、移動局は、周辺セルからの受信信号の測定を行う必要が生じる。このハンドオーバについては、次のような手法が提案されている。例えば、非同期でパケット通信を行う無線通信システムに於いて、一定の周期で基地局から送信されているビーコンを移動局が受信して、その受信レベルの測定を行い、測定結果が閾値以下である場合には状態遷移パケットを基地局に送信し、パワーセーブモード等の通信抑制モードに移行する。この通信抑制モードに於けるデータの送受信は中止し、この通信抑制モードの間に、他の基地局の探索を行い、この通信抑制モードから通常モードに移行する際は状態遷移パケットを送信して、通常モードに復帰する無線通信システムが提案されている（例えば、特許文献１参照）。
【００１５】
又ＴＤＭＡ方式を適用した無線通信システムに於いて、もともとその移動局が使用していない空きタイムスロットの時間を利用して、周辺セルの送信信号の電界強度の検出を行い、その検出結果を基地局に送信してハンドオーバ要求を行う無線通信システムが提案されている（例えば、特許文献２参照）。
【先行技術文献】
【特許文献】
【００１６】
【特許文献１】特開２００３−１５８４８１号公報
【特許文献２】特開平３−２６８６９７号公報
【非特許文献】
【００１７】
【非特許文献１】３ＧＰＰ  ＴＳ  ２５．２１１ ｖ５．５．０（３ｒｄ  Ｇｅｎｅｒａｔｉｏｎ  Ｐａｒｔｎｅｒｓｈｉｐ  Ｐｒｏｊｉｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）
【非特許文献２】３ＧＰＰ  ＴＳ  ２５．２１３  ｖ５．５．０（３ｒｄ  Ｇｅｎｅｒａｔｉｏｎ  Ｐａｒｔｎｅｒｓｈｉｐ  Ｐｒｏｊｉｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｓｐｒｅａｄｉｎｇ  ａｎｄ  ｍｏｄｕｌａｔｉｏｎ（ＦＤＤ）
【非特許文献３】３ＧＰＰ  ＴＳ  ２５．２１４  ｖ５．７．０（３ｒｄ  Ｇｅｎｅｒａｔｉｏｎ  Ｐａｒｔｎｅｒｓｈｉｐ  Ｐｒｏｊｉｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｌａｙｅｒ  ｐｒｏｃｅｄｕｒｅｓ（ＦＤＤ）
【発明の概要】
【発明が解決しようとする課題】
【００１８】
無線通信システムに於ける移動局がハンドオーバを行う為には、周辺セル検出を行うことになるが、周辺セル検出の為のみの受信手段を設けることは、スペース的にも、又消費電力の点からも不可能である。従って、周辺セルの周波数や無線アクセス方式等に対応して、周辺セル検出を行うことが望ましい。しかし、前述のＨＳＤＰＡや次世代移動通信に於いては、共有チャネル（シェアードチャネル）によりパケット形式で送受信する為、パケットが連続するフレームで送信される場合や、断続的に送信される場合もある。このようなパケットが送信されるか否かは、基地局からのシグナリングによりフレーム毎に通知される為、移動局は基地局からのシグナリングを常時受信する必要があり、効率的に周辺セル検出を行うことが困難である。
【００１９】
又ビーコンを移動局が受信して、その受信レベルの測定結果が閾値以下の時に、通信抑制モードに移行する従来例に於いては、この通信抑制モード中は、データを一切受信できない期間が所定時間継続して発生するという問題がある。即ち、伝送効率が著しく低下する問題がある。又この通信抑制モード中のデータを蓄積する為に、比較的大きな記憶容量のバッファメモリを設ける必要がある。
【００２０】
本発明は、前述の従来の問題点を解決するものであり、共有チャネルを介してデータの送信を行う場合に、ハンドオーバの為に行う周辺セル検出時の伝送効率の劣化を抑制する手段を提供することを目的とする。
【課題を解決するための手段】
【００２１】
本発明の基地局は、複数の移動局の中から選択した移動局宛てのユーザデータと該ユーザデータに関する制御データとを含むデータを格納した無線フレームを順次送信可能な基地局に於いて、前記複数の移動局のうち周辺セルからの受信信号についての測定が必要な特定の移動局について、該特定の移動局宛てのデータを格納しない複数の無線フレームを設定し、該特定の移動局に対して、該特定の移動局宛てのデータを格納しない複数の無線フレームの配置パターンを特定可能とした情報を各移動局についての前記無線フレームを送信する共有チャネルを介して通知することにより、該特定の移動局において、自局宛ての前記データが格納されない無線フレームの期間内に前記測定を実行可能とする通知手段と、前記特定の移動局宛てのデータを格納しない複数の無線フレームを生成すると共に、該生成する無線フレーム以外の無線フレームについて前記特定の移動局を送信先の選択の候補に含める制御手段とを備えている。
【００２３】
又本発明の移動局は、複数の移動局の中から選択した移動局宛てのユーザデータと該ユーザデータに関する制御データとを含むデータを格納した無線フレームを順次送信可能な基地局から無線信号を受信する移動局に於いて、前記基地局で、前記複数の移動局のうち周辺セルからの受信信号についての測定が必要な移動局について、該周辺セルからの受信信号についての測定が必要な移動局宛てのデータを格納しない複数の無線フレームを設定し、前記基地局が生成する自局に対するデータを格納しない複数の無線フレームに関して、設定された複数の無線フレームの配置パターンを特定可能とした情報を、前記基地局が各移動局についての前記無線フレームを送信する共有チャネルを介して受信する受信手段と、該自局に対するデータを格納しない複数の無線フレームの期間内に、前記基地局と異なる他の基地局からの無線信号を受信して測定する測定手段とを備えている。
【００２４】
本発明の無線通信システムは、複数の移動局と、該複数の移動局の中から選択した移動局宛てのユーザデータと該ユーザデータに関する制御データとを含むデータを格納した無線フレームを順次送信可能な基地局とを有する無線通信システムに於いて、前記基地局は、前記複数の移動局のうち周辺セルからの受信信号についての測定が必要な特定の移動局について、該特定の移動局宛てのデータを格納しない複数の無線フレームを設定し、該特定の移動局に対して、該特定の移動局宛てのデータを格納しない複数の無線フレームの配置パターンを特定可能とした情報を各移動局についての前記無線フレームを送信する共有チャネルを介して通知する通知手段と、前記特定の移動局宛てのデータを格納しない複数の無線フレームを生成すると共に、該生成する無線フレーム以外の無線フレームについて前記特定の移動局を送信先の選択の候補に含める制御手段とを備え、前記特定の移動局は、該特定の移動局に対するデータを格納しない複数の無線フレームの期間内に、該基地局と異なる他の基地局からの無線信号を受信して測定する測定手段を備えている。
【００２５】
本発明の無線通信方法は、複数の移動局と、該複数の移動局の中から選択した移動局宛てのユーザデータと該ユーザデータに関する制御データとを含むデータを格納した無線フレームを順次送信可能な基地局との間の無線通信方法に於いて、前記基地局で、前記複数の移動局のうち周辺セルからの受信信号についての測定が必要な特定の移動局について、該特定の移動局宛てのデータを格納しない複数の無線フレームを設定し、前記基地局から、該特定の移動局に対して、該特定の移動局宛てのデータを格納しない複数の無線フレームの配置パターンを特定可能とした情報を各移動局についての前記無線フレームを送信する共有チャネルを介して通知し、前記基地局で、前記特定の移動局宛てのデータを格納しない複数の無線フレームを生成すると共に、該生成する無線フレーム以外の無線フレームについて前記特定の移動局を送信先の選択の候補に含め、前記特定の移動局で、該特定の移動局に対するデータを格納しない複数の無線フレームの期間内に、該基地局と異なる他の基地局からの無線信号を受信して測定する処理過程を含むものである。
【発明の効果】
【００２６】
移動局がハンドオーバの為に、周辺セル検出を行う場合に於いても、伝送効率の低下が抑制される。又パケット送信の可能性のあるフレーム位置は、移動局対応又はセクタ対応等により、その周期やオフセット値を相違させることにより、柔軟性のある無線通信システムを構築することができると共に、送信パケットの欠損を防止することができる。
【図面の簡単な説明】
【００２７】
【図１】本発明の実施例１の説明図である。
【図２】基地局の送受信機能の要部説明図である。
【図３】移動局の送受信機能の要部説明図である。
【図４】本発明の実施例２の説明図である。
【図５】本発明の実施例３及び実施例４の説明図である。
【図６】本発明の実施例５の説明図である。
【図７】本発明の実施例６の説明図である。
【図８】本発明の実施例７及び実施例８の説明図である。
【図９】ＨＳＤＰＡに於けるチャネル構成説明図である。
【図１０】従来の共通チャネルを用いたパケット伝送の説明図である。
【発明を実施するための形態】
【００２８】
本発明の基地局は、図１を参照すると、複数の移動局の中から選択した移動局ＭＳ宛てのユーザデータと、このユーザデータに関する制御データとを含むデータを格納した無線フレームを順次送信可能な基地局であって、複数の移動局ＭＳのうち周辺セルからの受信信号についての測定が必要な特定の移動局について、特定の移動局宛てのデータを格納しない複数の無線フレームを設定し、該特定の移動局に対して、該特定の移動局宛てのデータを格納しない複数の無線フレームの配置パターンを特定可能とした情報を各移動局についての前記無線フレームを送信する共有チャネルを介して通知することにより、該特定の移動局において、自局宛ての前記データが格納されない無線フレームの期間内に前記測定を実行可能とする通知手段と、この特定の移動局宛てのデータを格納しない複数の無線フレームを生成すると共に、生成する無線フレーム以外の無線フレームについて特定の移動局を送信先の選択の候補に含める制御手段とを備えて、ハンドオーバを円滑に行うことを可能とする。
【００２９】
本発明の移動局は、複数の移動局の中から選択した移動局宛てのユーザデータとこのユーザデータに関する制御データとを含むデータを格納した無線フレームを順次送信可能な基地局から無線信号を受信する構成を含み、基地局で、複数の移動局のうち周辺セルからの受信信号についての測定が必要な移動局について、周辺セルからの受信信号についての測定が必要な移動局宛てのデータを格納しない複数の無線フレームを設定し、基地局が生成する自局に対するデータを格納しない複数の無線フレームに関して、設定された複数の無線フレームの配置パターンを特定可能とした情報を、前記基地局が各移動局についての前記無線フレームを送信する共有チャネルを介して受信する受信手段と、自局に対するデータを格納しない複数の無線フレームの期間内に、その基地局と異なる他の基地局からの無線信号を受信して測定する測定手段とを備え、ハンドオーバの円滑化を図る。
【００３０】
本発明の無線通信システムは、複数の移動局と、それらの移動局の中から選択した移動局宛てのユーザデータと、このユーザデータに関する制御データとを含むデータを格納した無線フレームを順次送信可能な基地局とを有する無線通信システムであって、基地局は、複数の移動局のうち周辺セルからの受信信号についての測定が必要な特定の移動局について、特定の移動局宛てのデータを格納しない複数の無線フレームを設定し、特定の移動局に対して、該特定の移動局宛てのデータを格納しない複数の無線フレームの配置パターンを特定可能とした情報を各移動局についての前記無線フレームを送信する共有チャネルを介して通知する通知手段と、前記特定の移動局宛てのデータを格納しない複数の無線フレームを生成すると共に、生成する無線フレーム以外の無線フレームについて特定の移動局を送信先の選択の候補に含める制御手段とを備え、特定の移動局は、その特定の移動局に対するデータを格納しない複数の無線フレームの期間内に、その基地局とは異なる他の基地局からの無線信号を受信して測定する測定手段を備えている。
【００３１】
本発明の無線通信方法は、複数の移動局と、これらの移動局の中から選択した移動局宛てのユーザデータとこのユーザデータに関する制御データとを含むデータを格納した無線フレームを順次送信可能な基地局との間の無線通信方法であって、前記基地局で、複数の移動局のうち周辺セルからの受信信号についての測定が必要な特定の移動局について、特定の移動局宛てのデータを格納しない複数の無線フレームを設定し、基地局から、特定の移動局に対して、その特定の移動局宛てのデータを格納しない複数の無線フレームの配置パターンを特定可能とした情報を各移動局についての前記無線フレームを送信する共有チャネルを介して通知し、基地局で、特定の移動局宛てのデータを格納しない複数の無線フレームを生成すると共に、生成する無線フレーム以外の無線フレームについて、特定の移動局を送信先の選択の候補に含めて、その特定の移動局で、特定の移動局に対するデータを格納しない複数の無線フレームの期間内に、その基地局とは異なる他の基地局からの無線信号を受信して測定する処理過程を含むものである。
【実施例１】
【００３２】
図１は、本発明の実施例１の説明図であり、（Ａ）は、無線通信システムの概要を示し、基地局ＢＳ１は、周波数ｆ１により送信し、基地局ＢＳ２は、周波数ｆ２（ｆ１とは異なる周波数）により送信する無線通信システムの場合を示す。尚、無線通信システムとしては、先に説明したＷＣＤＭＡ移動通信システムや、更に、ＨＳＰＤＡを採用した移動通信システムや、次世代移動通信システム等の各種システムを採用することができる。
【００３３】
移動局ＭＳは、基地局ＢＳ１との間で無線通信し（例えば、ＨＳＤＰＡのように共有チャネルを介したデータの受信サービス中であり）、パケットを受信しながら基地局ＢＳ２の方向に移動すると、基地局ＢＳ１からの受信電力（例えば、パイロット信号の受信電力）が次第に低下するから、ハンドオーバを行う為に周辺セル検出処理が必要になる。この場合、周辺セルの基地局ＢＳ２は、周波数ｆ２で送信するものであり、移動局ＭＳは、同時に周波数ｆ１、ｆ２を受信できないので、受信周波数を、周波数ｆ２に切替えて共通チャネル受信により周辺セル検出を行うモードに移行する。その場合に、移動局ＭＳと基地局ＢＳ１との間で、パケット送信（例えば、ＨＳ−ＰＤＳＣＨ等のように共有チャネルを介して所定長のフレーム単位で送信されるデータ送信）の可能性のあるフレーム位置と、可能性のないフレーム位置とを決定して、制御チャネルを介して通知する手段を有し、移動局ＭＳは、パケット送信の可能性のないフレーム位置に於いて周辺セル検出モードに移行する手段を有するものであるから、周辺セル検出モードに移行することができる。
【００３４】
図１の（Ｂ）は、パケット送信の可能性のあるフレーム位置に斜線を施し、その他は、パケット送信の可能性がないフレーム位置の例について示すもので、前述のコンプレストモードに移行することなく、移動局ＭＳは、基地局ＢＳ１との間で決定したフレーム送信の可能性がないフレーム位置（不連続なフレームの送信期間）で、周辺セル検出モードに移行する。この周辺セル検出モードに於いては、周波数ｆ１からｆ２に切替えて、基地局ＢＳ２からの受信電力測定等を行う。即ち、移動局ＭＳは、基地局ＢＳ１からの周波数ｆ１による受信品質測定手段を有するもので、この受信品質の情報と閾値とを比較して、閾値以下に低下したことを検出すると、移動局ＭＳは、周辺セル検出モードに移行する要求を基地局ＢＳ１に送信する。又は受信品質の情報を基地局ＢＳ１に送信し、基地局ＢＳ１に於いて閾値以下に受信品質の低下の場合に、移動局ＭＳに対して、周辺セル検出モードに移行する指示を行う。そして、基地局ＢＳ１と移動局ＭＳとの間で、パケット送信の可能性のあるフレーム位置の情報を通知し、移動局ＭＳは、パケット送信の可能性のないフレーム位置を判定して、周辺セル検出モードに移行する。即ち、移動局ＭＳは、周波数ｆ２に切替えて、基地局ＢＳ２からの共通チャネルの受信を行うものである。
【００３５】
例えば、パケット送信の可能性のあるフレーム番号を、Ａ×ｎ＋Ｂ（ｎは整数）のように、周期Ａとオフセット値Ｂとによって指定されるフレームに限定することにより、パケット送信の可能性のないフレームの期間を用いて、周波数或いは受信するシステムを切替えて、周波数の異なるセルや、異なるシステムのセルの検出を行う周辺セル検出モードに移行する。前述の周期Ａ及びオフセット値Ｂは、在圏セルに於ける通信のデータの種類（許容する遅延時間や補償すべきビットレート）やユーザＩＤ、ユーザの能力等に応じて可変にすることができる。又パケットの送信は連続したフレームにより送信することも可能であり、又連続したパケットの先頭のパケットが送信される可能性があるフレームの番号を前述のＡ×ｎ＋Ｂ（ｎは整数）のように取り決めておくことができる。
【００３６】
勿論、特定の移動局に送信予告を行ってから１フレーム後と３フレーム後についてはこの特定の移動局（周辺セルの検出が必要な移動局）に送信予告を行わない（パケットの送信を行わない）ことを通知し、特定の移動局は、自局宛ての送信予告の受信から１フレーム後、３フレーム後について周辺セルの検出を行い、不連続な１フレーム後と３フレーム後の間である２フレーム後については、送信予告を行うチャネルの受信をするようにすることもできる。このようにすることで、１フレーム後、３フレーム後といった不連続なフレームの送信期間で周辺セル検出が行えると共に、２フレームについては、自局に送信が行われる可能性が残されており、自局に確実に送信が行われない期間が連続した期間で発生してしまうことを防ぐことができる。尚、送信予告を基準とせず、パケットの送信から１フレーム後、３フレーム後については、特定の移動局（周辺セルの検出が必要な移動局）に送信予告を行わないようにすることもできる。勿論、移動局と、基地局は、それぞれ送信を行わない不連続な無線フレームの特定規則を記憶しておき、その記憶した規則に基づいて不連続な無線フレームの特定をすることもできる。例えば、周辺セル検出要求を送信（受信）したフレームを基準として２フレーム後と５フレーム後について送信を行なわないといった規則を記憶することで、互いに意識あわせを行うことができる。
【００３７】
又周辺セル検出モードへの遷移のきっかけは、例えば、基地局ＢＳ１へ報告するＣＱＩ（受信品質情報）の値と閾値とを比較する手段により、ＣＱＩが閾値より低下したことを検出した場合に、移動局ＭＳが判断して自律的に行うことができる（但し、基地局への報告は行う）。その際、前述の周期Ａ及びオフセット値Ｂの要求値を基地局ＢＳ１に送付するか、又は基地局ＢＳ１から周期Ａ及びオフセット値Ｂの値を指定するように構成することができる。又移動局ＭＳから報告されるＣＱＩの値が閾値以下となった場合に、基地局ＢＳ１が判断して、移動局ＭＳに対して周辺セル検出モードへの移行を命令するように構成することもできる。その際、前述の周期Ａ及びオフセット値Ｂの値を基地局ＢＳ１から指定する。勿論、ＨＳＤＰＡにおけるＣＱＩとしての送信ではなく、別の受信品質信号（ＣＱＩ）信号として、移動局から受信品質情報を基地局ＢＳ１に送信することとしてもよい。
【００３８】
前述のように、基地局ＢＳ１と移動局ＭＳとの間に於いて、移動局ＭＳが周辺セル検出モードに移行する必要が生じた場合、又は通信開始時に於いて、制御情報に、パケット送信の可能性のあるフレーム位置を、周期Ａとオフセット値Ｂ等によるパラメータとして含ませることにより、移動局ＭＳは、パケット送信の可能性がないフレーム位置を判定することができるから、このフレーム位置に於いて、周辺セル検出モードに移行することができる。従って、周辺セル検出モードに移行することができるから、移動局ＭＳ及び基地局ＢＳ１は、拡散率ＳＦの変更やパンクチャリングの変更等の処理を行う必要がなく、従って、送受信処理が複雑化する問題もなく、且つパケットの伝送の可能性のあるフレーム位置を確保することができるから、パケットを確実に送受信することができる。
【００３９】
図２は、基地局の送受信機能の要部説明図であり、１は送受信用のアンテナ、２はサーキュレータ、３は送信増幅器、４はアップコンバートする為の周波数変換器、５は多重部、６は変調部、７は制御部、８はパイロットチャネル生成部、９，１０はチャネル符号化部、１１はシグナリングチャネル生成部、１２はパケット生成部、１３はスケジューラ、１４は切替器、１５は基準発振器、１６，１７はローカル発振器、１８は低雑音増幅器、１９はダウンコンバートする為の復調器、２０はチャネル分離部、２１は移動局対応処理部、２２は復調部、２３，２４は復号部、２５は分離部、２６はパイロット復調部、２７はフィードバックチャネル復調部、２８はデータチャネル復調部である。
【００４０】
スケジューラ１３は、移動局からのフィードバック情報（移動局の受信品質（ＳＩＲ）に基づくＣＱＩや、受信応答のＡＣＫ／ＮＡＣＫ）や、各移動局宛のデータ量や優先度に基づき、フレーム毎にどの移動局宛のパケットを送信するかを制御する制御手段を含む。又同じフレームで複数の移動局宛のデータを符号分割多重や直交周波数分割多重等により多重することもできる。又切替器１４は、スケジューラ１３の決定に従い、移動局宛のデータを選択する。又パケット生成部１２は、選択された移動局のデータからパケットを生成し、チャネル符号化部１０により誤り訂正符号化等の処理を施し、変調部６に於いて変調して、多重部５に入力する。
【００４１】
又シグナリングチャネル生成部１１は、選択された移動局宛のパケットに対応する制御情報（例えば、ＨＳ−ＰＤＳＣＨによりデータを送信する変調方式を示す変調タイプ情報や、拡散符号のコード数、送信データに対して施したレートマッチング処理のパターン情報等）を生成し、チャネル符号化部９により誤り訂正符号化等の処理を施し、変調部６に於いて変調して、多重部５に入力する。変調部６は、パイロットチャネルと、シグナリングチャネルと、データチャネルとに対応した変調部構成を備えている。多重部５は、パイロットチャネル、シグナリングチャネル、データチャネルの多重処理を行う。又制御部７は、変調部６と多重部５とローカル発振器１６，１７と、チャネル分離部２０と復調部２２とを制御し、無線アクセス方式の設定や、キャリア周波数の設定を行うものであり、ローカル発振器１６，１７を制御することにより、送信周波数又は受信周波数の変更を行い、多重部５による多重化信号を周波数変換器４により送信周波数にアップコンバートし、送信増幅器３により増幅し、サーキュレータ２を介してアンテナ１から送信する。
【００４２】
又基地局の受信側に於いては、アンテナ１により受信した移動局からの信号を低雑音増幅器１８により増幅し、周波数変換器１９によりダウンコンバートして、チャネル分離部２０に入力する。このチャネル分離部２０は、移動局からの信号を無線アクセス方式に応じた方法で各チャネルに分離して、移動局対応処理部２１の復調部２２に入力する。この場合、パイロットチャネルとフィードバックチャネルとデータチャネルとに分離する場合を示す。復調部２２は、分離したチャネル対応のパイロット復調部２６と、フィードバックチャネル復調部２７と、データチャネル復調部２８とを備えている。
【００４３】
パイロット復調部２６による復調結果は、移動局からのフィードバックチャネル及びデータチャネルの復調の際に、伝搬路に於ける波形の歪を補償する為に用いられる。又フィードバックチャネルの復調結果は、復号部２３に於いてチャネル符号化を解く復号が行われ、移動局からのフィードバック情報が取り出されて、スケジューラ１３に転送される。フィードバック情報には移動局で測定した受信品質情報（例えば、ＣＱＩを用いることができる）や、移動局でのデータ復号結果を元に作成されたＡＣＫ／ＮＡＣＫの情報が含まれている。
【００４４】
又データチャネルの復調結果は、復号部２４に於いてチャネル符号化を解く復号が行われ、分離部２５により、制御情報と伝送データに分けられ、制御情報は、スケジューラ１３に転送される。尚、移動局から周辺セル検出モード移行要求が送信される場合は、この制御情報に、周辺セル検出モード移行要求が含まれることとなるため、スケジューラ１３は、その移動局が、周辺セルについて受信信号の測定が必要であるということを検出することができる。
【００４５】
又、移動局から周辺セル検出モード移行要求が送信されない場合であっても、移動局から受信品質情報が送信されることで、その受信品質情報は、この制御情報に含まれることとなり、スケジューラ１３は、その移動局が、周辺セルについて受信信号の測定が必要であるということを検出することができる。何れにせよ、スケジューラは、検出手段として機能することができる。又スケジューラは、制御手段としても機能することができるから、この検出手段で検出を行うと、制御手段は、検出を行った特定の移動局について、検出後に、順次送信するパケット（無線フレーム）のうち、この特定の移動局に対するデータを格納しない無線フレームを不連続的に生成するようにスケジューリングを行う。そして、この不連続的に生成する無線フレーム間に於いては、この特定の移動局に対するデータの格納を許容する（即ち、スケジューリングの際にこの特定の移動局も送信対象の候補の１つとして取扱う）。
【００４６】
好ましくは、この不連続に生成する無線フレーム間については、この特定の移動局について、送信対象として選択する可能性が高くなるように優先度を高めることが望ましい。優先的に選択されることで、データを受信しない期間が長くならないようにする為である。尚、無線フレーム（無線サブフレーム）のフレーム長は、このような不連続的な生成を行う前と後で変更する必要はない。即ち、特定の移動局は、セル検出を行う際についても、固定（所定）長の無線フレームを受信することができる。又スケジューラ１３は、通知手段として機能することもでき、移動局に対する周辺セル検出モード移行の指示や、パケット送信の可能性のある（ない）フレーム位置の情報等を生成して、送信する手段を設けることができる。
【００４７】
尚、通知手段は、このように、制御手段により生成する不連続な無線フレームを特定するのに必要な情報をこの特定の移動局に送信することができるが、送信を行うチャネルは、その特定の移動局に対して送信予告を行うシグナリングチャネルや、特定の移動局に対して送信するパケット（データ）を送信する共有チャネルや、他の個別チャネルを用いることができる。又前述の周辺セル検出モードへ移行する為の基地局と移動局との間の通知や要求は、データチャネル上に伝送データと共に多重されて送信される場合の例を示しているが、別のチャネルを用意して、そのチャネル上で周辺セル検出モードへ移行する為の基地局と移動局との間の通知や要求を行っても良い。
【００４８】
図３は、移動局の送受信機能の要部説明図であり、３１はアンテナ、３２はサーキュレータ、３３は送信増幅器、３４はアップコンバートする為の周波数変換器、３５は多重部、３６は変調部、３７は制御部、３８はパイロットチャネル生成部、３９，４０はチャネル符号化部、４１はフィードバックチャネル生成部、４２はデータチャネル生成部、４３は基準発振器、４４，４５はローカル発振器、５６は低雑音増幅器、４７はダウンコンバートする為の周波数変換器、４８はチャネル分離部、４９は復調部、５０は受信品質測定部、５１，５２は復号部、５３は分離部、５４はパイロット復調部、５５はシグナリングチャネル復調部、５６はデータチャネル復調部である。
【００４９】
移動局の送信側は、パイロットチャネル生成部３８によりパイロットチャネルを生成して変調部３６に入力する。又フィードバックチャネル生成部４１は、受信品質測定部５０による測定結果（ＣＱＩ）や、データチャネルの復号結果を基に、基地局に対してフィードバックする情報を生成し、チャネル符号化部３９で誤り訂正符号化等の処理を施して、変調部３６に入力する。又データチャネル生成部４２は、基地局へ送信すべき伝送データや制御情報（周辺セル検出モードへの移行要求、サービスを受けている基地局からの受信信号の品質情報など）がある場合には、その多重化等の処理を行い、チャネル符号化部４０で誤り訂正符号化等の処理を施して、変調部３６に入力する。変調部３６は、チャネル対応の変調部を含む構成を有し、チャネル対応の変調出力信号を多重部３５に入力し、制御部３７の制御に従った多重化処理を行い、周波数変換器３４により、制御部３７からローカル発振器４４を制御した送信周波数にアップコンバートし、送信増幅器３３により増幅して、アンテナ３１から基地局に送信する。
【００５０】
又移動局の受信側は、アンテナ３１により基地局からの信号を受信し、低雑音増幅器４６により増幅し、ローカル発振器４５の発振出力信号を基に、周波数変換器４７によりダウンコンバートし、チャネル分離部４８に入力する。チャネル分離部４８は、基地局からの信号を無線アクセス方式に応じて、各チャネルに分離して、復調部４９に入力する。復調部４９は、分離したチャネル対応のパイロット復調部５４、シグナリングチャネル復調部５５、データチャネル復調部５６を有し、パイロット復調部５４の復調出力信号を、シグナリングチャネル復調部５５と、データチャネル復調部５６とに入力して、伝搬路の波形歪を補償し、又受信品質測定部５０に入力して、基地局からの信号の受信品質を測定し、その測定結果をフィードバックチャネル生成部４１に入力する。周辺セル検出モードへの移行要求、サービスを受けている基地局からの受信信号の品質情報などを伝送データとして送信する場合は、受信品質の測定結果を不図示の伝送データの生成部に与え、伝送データ生成部は、測定結果に基づいて、この移行要求、品質情報を生成して伝送データとして出力する。
【００５１】
又シグナリングチャネル（送信予告チャネル）復調部５５による復調出力信号は、復号部５１により復号されて、基地局から自局宛の信号であるか否かを毎サブフレームにおいて判定し、自局宛の信号の場合は、シグナリング情報を取り出して、データチャネル復調の為の情報と、データチャネル復号の為の情報とに分けて、データチャネル復調部５６と、復号部５２とにそれぞれ入力する。又自局宛の信号でない場合は、データチャネルの復調及び復号の処理は中止される。
【００５２】
又シグナリングチャネルにより自局宛てのデータの送信予告を検出した場合に、データチャネル復調部５６により実行される復調結果は、復号部５２に於いてチャネル符号化された復調結果を復号して、分離部５３及びフィードバックチャネル生成部４１に入力され、分離部５３は、制御情報と伝送データとに分離して、図示を省略した後段の回路部に転送する。尚、データチャネル復調部、シグナリングチャネル復調部は、データチャネル、シグナリングチャネルのいずれかを介して、基地局の通知手段により通知された情報（不連続なフレームを特定可能な情報）を取得し、制御部３７に情報を転送することで、制御部３７は、その不連続なフレームの送信期間については、ローカル発振器４５を制御して周辺セルを形成する他の無線基地局から送信される信号を受信させ、受信品質測定部（評価手段）５０により、周辺セルからの受信信号の測定を実行させる。
【００５３】
そして、不連続なフレームの間の期間では、ローカル発振器４５を制御して周辺セルを形成する他の無線基地局からの信号を受信する状態から元のサービスを受けている基地局から信号を受信する状態に戻して、シグナリングの受信を行う。この時、シグナリング（送信予告）により、自局宛てにパケットが送信されることが検出されれば、そのパケットの受信を行うように、データチャネル復調部５６等を制御し、そうでなければ、次のシグナリングの受信を行うようにする。そして、不連続なフレームの間の期間が終了すると、再び、ローカル発振器４５を制御して周辺セルを形成する他の無線基地局から送信される信号を受信させ、受信品質測定部（評価手段）５０により、周辺セルからの受信信号の測定を実行させる。尚、周辺セルからの受信信号の測定は、必要な測定が完了するまでに行えばよい。
【００５４】
好ましくは、測定完了後、移動局は、伝送データに完了通知を含めることで、基地局に周辺セル検出完了を通知し、基地局のスケジューラ１３は、この通知に従って、特定の移動局に対する不連続なフレームの送信制御を解除する。又周辺セル検出モードへ移行する為の基地局と移動局との間の通知情報や要求の情報（前述のパケット送信の可能性のあるフレーム位置の情報等を含む）は、データチャネル上に伝送データと共に多重化して送信する場合を示しているが、別のチャネルを用意して、周辺セル検出モードへ移行する為の基地局と移動局との間の通知や要求を行う構成とすることもできる。又受信品質測定部５０による受信品質の測定結果を制御部３７にも入力して、閾値との比較を行わせて、閾値以下にて低下したことを検出した時に、基地局に対して周辺セル検出モード移行要求を送信する制御手段を設けることができる。
【実施例２】
【００５５】
図４は、本発明の実施例２の説明図であり、（Ａ）は、無線通信システムの概要を示し、基地局ＢＳ１，ＢＳ２は、例えば、Ｗ−ＣＤＭＡやＯＦＤＭ等の無線アクセス方式が異なる場合の無線通信システムに於いて、基地局ＢＳ１は無線方式１、基地局ＢＳ２は無線方式２をそれぞれ適用して送受信するシステムであり、移動局ＭＳは、基地局ＢＳ１との間で無線通信し、データパケットを受信しながら基地局ＢＳ２の方向に移動すると、基地局ＢＳ１からの受信電力が次第に低下するから、ハンドオーバを行う為に周辺セル検出処理が必要になる。
【００５６】
この場合、周辺セルの基地局ＢＳ２は、無線方式２による送信を行う構成であるから、移動局ＭＳは、同時に無線方式１，２に対応できないので、前述の場合と同様に、周辺セル検出モードに移行する処理を行う。即ち、データパケットの伝送可能性のあるフレーム位置と、可能性のないフレーム位置とを、基地局ＢＳ１との間で、制御チャネル等により取り決めて、パケット送信の可能性のないフレーム位置で、周辺セル検出モードに切替える。この場合、無線方式１から無線方式２に切替えて、基地局ＢＳ２の共通チャネルによる送信信号を受信判定するものである。この場合、図２及び図３に於けるローカル発振器１６，１７，４４，４５による周波数の切替えの手段の代わりに、復変調手段の切替えを行う手段を設けることになる。
【００５７】
図４の（Ｂ）は、パケット送信の可能性のあるフレームに斜線を施し、その他は、パケット送信の可能性がないフレームの例を示すもので、前述のコンプレストモードに移行することなく、移動局ＭＳは、基地局ＢＳ１との間で決定したフレーム送信の可能性がないフレーム位置で、周辺セル検出モードに移行する。この周辺セル検出モードに於いては、前述のように、無線方式１から無線方式２に切替えて、基地局ＢＳ２からの受信電力測定等を行う。基地局ＢＳ１からの無線方式１による例えば受信電力が、基地局ＢＳ２からの無線方式２の例えば受信電力より低下した場合、移動局ＭＳは、ハンドオーバ処理要求を送出し、既に知られている各種の制御手段により、移動局ＭＳは、基地局ＢＳ１から基地局ＢＳ２に切替えてパケットの受信を継続することができる。
【００５８】
例えば、前述の周波数ｆ１、ｆ２の場合と同様に、パケット送信の可能性のあるフレーム番号を、Ａ×ｎ＋Ｂ（ｎは整数）のように、周期Ａとオフセット値Ｂとによって指定されるフレームに限定することにより、パケット送信の可能性がない（Ａ−１）フレームの期間を用いて、無線方式１から無線方式２に切替えて、システム方式の異なる周辺セル検出モードに移行する。この場合の周期Ａ及びオフセット値Ｂについても、在圏セルに於ける通信のデータの種類（許容する遅延時間や補償すべきビットレート）やユーザＩＤ、ユーザの能力等に応じて可変にすることができる。又パケットの送信は連続したフレームにより送信することも可能であり、又連続したパケットの先頭のパケットが送信される可能性があるフレームの番号を前述のＡ×ｎ＋Ｂ（ｎは整数）のように取り決めておくことができる。なお、同一の基地局が複数の無線方式を適用した無線通信システムとし、この基地局の通信の混雑状態等に対応して、或いは、受信品質の劣化検出により、複数の無線方式の中から選択した無線方式を移動局に割り当てることも可能である。又同一の基地局が複数の周波数及び前述の複数の無線方式とを切替えることができる無線通信システムに於いて、移動局に対する無線方式及び周波数の切替えの指示を行うこともできる。
【実施例３】
【００５９】
図５は、本発明の実施例３及び実施例４の説明図であり、同図の（Ａ）に示す本発明の実施例３に於いて、周辺セル検出モードに移行する時に、次の（１）〜（６）の手順を用いる場合を示す。即ち、
（１）通常モードに於いて、受信品質低下等により、基地局又は移動局で周辺セル検出モードへの移行条件を検出した場合、
（２）その情報を基地局と移動局との間で通知し、周辺セル検出モードに於けるパケット送信の可能性があるフレームに関する情報（前述の周期Ａ及びオフセット値Ｂや持続時間等のパラメータ）を、相互に通知する。
（３）前記（２）に対する応答を行う。
（４）その応答確認により移動局は、周辺セル検出モードに移行する。
（５）パケット送信の可能性があるフレームでは、元の基地局のシグナリングの監視及び自局宛てパケットの受信を行い、パケット送信の可能性がないフレームでは、周辺セル検出モードにより、周辺セルの検出、測定を行う。
（６）周辺セル検出モードに移行可能期間終了により、即ち、パケット送信の可能性のないフレーム期間の終了により、通常モードに復帰する。
【００６０】
前述の（２），（３）の手順に於いて、周辺セル検出モードに於けるパケット送信の可能性があるフレームに関する情報（周期や持続時間等のパラメータ）の通知を、１回のシグナリングにより行うことができるものであり、周辺セルの検出に比較的時間がかかるような場合であっても、周辺セル検出モードの移行に伴うシグナリングによる伝送効率の低下を最小限に留めることができる。更に、パケット送信に用いることができるフレームの時間を確保することができる為、元の基地局との間のデータ通信の速度をある程度維持したまま、周辺セルの検出を行うことができる。又前述の手順は、図３に示す移動局の制御部３７の制御手段により実現することができる。
【実施例４】
【００６１】
図５の（Ｂ）に示す本発明の実施例４に於いては、周辺セル検出モードに於けるパケット送信が行われる可能性のあるフレームの指定について、基地局と移動局との間で周辺セル検出モードのパラメータとして、周期Ａとオフセット値Ｂとを指定する。オフセット値Ｂは、或る時間の基準（例えば、システムフレームナンバー（ＳＦＮ）＝０のフレーム）から、何フレーム目に最初のパケット送信が行われる可能性のあるフレームが始まるかを示す量である。又周期Ａは、パケット送信が行われる可能性のあるフレーム間の周期であり、Ａフレームに１回パケット送信が行われる可能性のあるフレームが周期的に指定された場合を示す。従って、残りの（Ａ−１）のフレームの区間に於いて、周辺セル検出モードに移行することができる。
【実施例５】
【００６２】
図６は、本発明の実施例５の説明図であり、（１）〜（１２）の手順により、周辺セル検出を可能とする場合を示す。前述の実施例４に於いては、パケットを送信する可能性があるフレームを、或る周期で指定したフレームのみに限定しているが、この実施例では、周辺セル検出モード中にトラフィックが増加した場合にも対応できるように、周期的なフレームに加えて、連続するフレームでは、パケットを連続して送信することを許容するシステム構成とする。その為、基地局と移動局の間で周辺セル検出モードのパラメータとして、周期Ａとオフセット値Ｂとを指定し、その周期Ａとオフセット値Ｂとにより、パケットが送信され始める可能性のあるフレーム（斜線を施したフレーム（１），（４），（９））を指定する。それらのフレームでパケットの送信があった場合には、次のフレーム（２），（５），（１０）でも同様にパケットが送信される可能性がある為、パケット送信の有無を監視する。
【００６３】
図示の場合、フレーム（２）に於けるパケット受信監視結果、パケット送信が行われなかったことが検出された為、次のフレーム（３）以降は、パケット送信がないフレーム位置と判定して、周辺セル検出モードに移行することができる。又フレーム（５）と次のフレーム（６）とに於いてパケット送信が行われたことが検出されるので、その次のフレーム（７）に於けるパケット送信の有無の監視を行い、パケット送信が行われないことが検出されると、フレーム（７）の次のフレーム（８）以降は、周辺セル検出モードに移行することができる。同様に、フレーム（１０）の次のフレーム（１１）に於けるパケット送信がない場合、次のフレーム（１２）以降は、周辺セル検出モードに移行することができる。従って、周辺セル検出モード中にトラフィックが増加し、送信すべきパケットが増加した場合でも、連続したフレームでのパケットの送信を可能にすることができるから、通常モード復帰処理等を行うことなく、接続中の基地局との間のデータ通信のレートを上げることができる。前述の制御手段は、例えば、図２に示すスケジューラ１３や、図３に示す制御部３７の処理機能により実現することができる。
【実施例６】
【００６４】
図７は、本発明の実施例６の説明図であり、（Ａ）は伝送レートが大きい場合の例を示し、（Ｂ）は伝送レートが小さい場合の例を示す。現在接続中の基地局との間の無線通信の種類（伝送レート等の性質）により、周辺セル検出モード中のパケット送信の可能性があるフレーム数を可変にする場合の実施例を示す。現在接続中の基地局との間で行っているデータ通信の種類が、例えば、伝送レートが大きい場合又は保証すべきビットレート（Ｇｕａｒａｎｔｅｅｄ Ｂｉｔ Ｒａｔｅ）が大きい場合や許容する遅延時間が小さい場合には、図７の（Ａ）に示すように、パケット送信の可能性があるフレームの周期Ａ１を短く設定する。逆に、伝送レートが小さい場合又は保証すべきビットレート（Ｇｕａｒａｎｔｅｅｄ Ｂｉｔ Ｒａｔｅ）が小さい場合や許容する遅延時間が大きい場合には、図７の（Ｂ）に示すように、パケット送信の可能性があるフレームの周期Ａ２を長くする。なお、オフセット値Ｂは一定とした場合を示すが、このオフセット値Ｂについても可変とすることができる。
【実施例７】
【００６５】
図８は、本発明の実施例７及び実施例８の説明図であり、同図の（Ａ）に示す本発明の実施例７に於いて、ユーザ１に対して、パケットが送信される可能性のあるフレームの周期Ａ１とオフセット値Ｂ１とを設定し、他のユーザ２に対して、パケットが送信される可能性のあるフレームの周期Ａ２とオフセット値Ｂ２とを設定する。この場合、オフセット値Ｂ１，Ｂ２を同一として、周期Ａ１，Ａ２を相違させるか、反対に、周期Ａ１，Ａ２を同一として、オフセット値Ｂ１，Ｂ２を相違させるように設定することも可能である。又複数のユーザに対して、前述のように、それぞれ周期とオフセット値との少なくとも何れか一方を相違させることにより、同一時間に多数のユーザに対するパケット送信が集中することを回避できる。
【実施例８】
【００６６】
図８の（Ｂ）に示す本発明の実施例８に於いて、パケットが送信される可能性のあるフレームの周期やオフセット値を基地局１，２毎に異なるように設定する。即ち、基地局１に対するオフセット値Ｂ１と、基地局２に対するオフセット値Ｂ２とを相違させ、且つ基地局１に対するフレームの周期Ａ１と，基地局２に対する周期Ａ２とを相違させた場合を示し、それにより、周辺セル検出に用いる基地局からの共通チャネルが常時送信されていない場合にも、周辺セル検出を可能にすることができる。例えば、データパケットを送信する時だけパイロットを送信するような通信形態であり、他の移動局宛てのパケットに付随されたパイロットチャネルを周辺セル検出に用いる場合に、隣接する基地局で各基地局にそれぞれ１個の移動局が接続しており、各基地局に接続した移動局がほぼ同じ時間に周辺セル検出を行うような場合には、隣接する基地局毎に、周期とオフセット値との少なくとも何れか一方を異なるように設定して、お互いに異なるタイミングでパケットの送信を行うことにより、測定対象である基地局に接続した移動局宛てのパケットに付随したパイロットチャネルを用いて、周辺セル検出を行うことが可能になる。
【実施例９】
【００６７】
図８の（Ｂ）に示す本発明の実施例９は、前述のＨＳＤＰＡのようなパケット通信システムに於いて、基地局と移動局との間の伝搬路の環境に応じて誤り訂正符号化方式の符号化手段（符号化率等）や、変調方式を適応的に可変するＡＭＣ（Ａｄａｐｔｉｖｅ Ｍｏｄｕｌａｔｉｏｎ ａｎｄ Ｃｏｄｉｎｇ）を行う為に、移動局に於いて、例えば、図３に示す受信品質測定部５０により、ＳＩＲを測定すること等により、伝搬路の受信品質情報（ＣＱＩ＝Ｃｈａｎｎｅｌ Ｑｕａｌｉｔｙ Ｉｎｆｏｒｍａｔｉｏｎ）を生成し、フィードバックチャネルにより、基地局に報告を行っている。その場合の移動局に於いて、測定したＳＩＲ又は報告するＣＱＩ値が、或る設定値よりも低くなったことを検出した時、即ち、閾値以下に低下したことを、例えば、図３に於ける制御部３７に於いて検出した時に、移動局から基地局へ周辺セル検出モード移行要求を送信して、前述のパケット送信の可能性のあるフレーム位置を除くフレーム位置で、周辺セル検出モードに移行することができる。この場合、隣接するセル或いはセクタに於けるパケット送信の可能性のあるフレーム位置について、それぞれ異なるように設定することができる。又そのパケット送信の可能性のあるフレーム位置についての周期とオフセット値とを随時変更することも可能である。
【実施例１０】
【００６８】
本発明の実施例１０は、前述の実施例９の場合と同様に、ＨＳＤＰＡのようなパケット通信システムに於いては、基地局と移動局の間の伝搬路の環境に応じて誤り訂正符号化方式の符号化手段（符号化率等）や、変調方式を適応的に可変するＡＭＣ（Ａｄａｐｔｉｖｅ Ｍｏｄｕｌａｔｉｏｎ ａｎｄ Ｃｏｄｉｎｇ）を行う為に、移動局に於いて、例えば、図３に示す受信品質測定部５０により、ＳＩＲを測定すること等によって、伝搬路の受信品質情報（ＣＱＩ＝Ｃｈａｎｎｅｌ Ｑｕａｌｉｔｙ Ｉｎｆｏｒｍａｔｉｏｎ）を生成して、基地局に報告を行っている。そこで、基地局に於いて、移動局から報告されたＣＱＩ値が、或る設定値よりも低くなったことを、例えば、図２に示すスケジューラ１３等により検出した時に、基地局から移動局に対して、周辺セル検出モードに移行するように要求することができる。
【００６９】
（付記１）
複数の移動局の中から選択した移動局宛てのデータを格納した無線フレームを順次送信可能な無線基地局に於いて、周辺セルからの受信信号についての測定が必要な特定の移動局を検出する検出手段と、該検出手段による検出後、順次送信する無線フレームのうち、該特定の移動局に対するデータを格納しない無線フレームを不連続的に生成するとともに、該不連続的に生成する無線フレームの間の無線フレームについて該特定の移動局を前記選択の候補に含める制御手段とを備えたことを特徴とする無線基地局。
（付記２）
前記不連続的に生成する無線フレームには、他の移動局宛てのデータが格納されることを特徴とする付記１記載の無線基地局。
（付記３）
複数の移動局の中から選択した移動局宛てのデータを格納した無線フレームを順次送信可能な無線基地局に於いて、周辺セルからの受信信号についての測定が必要な特定の移動局を検出する検出手段と、該特定の移動局に対するデータを格納しない不連続的な無線フレームを特定可能な情報を該特定の移動局に通知する通知手段と、該通知手段による通知後、該特定の移動局に対するデータを格納しない不連続的な無線フレームを生成するとともに、該不連続的に生成する無線フレームの間の無線フレームについて該特定の移動局を前記選択の候補に含める制御手段とを備えたことを特徴とする無線基地局。
（付記４）
前記特定可能な情報は、前記特定の移動局宛てのデータを格納した無線フレームの送信予告に基づいて前記不連続的な無線フレームを特定可能な情報又は前記特定の移動局宛てのデータを格納した無線フレームに基づいて前記不連続的な無線フレームを特定可能な情報であることを特徴とする付記３記載の無線基地局。
【００７０】
（付記５）
複数の移動局の中から選択した移動局宛てのデータを格納した無線フレームを順次送信可能な無線基地局から無線信号を受信する移動局に於いて、自局が周辺セルからの受信信号についての測定が必要な場合に、該無線基地局が生成する自局に対するデータを格納しない不連続的な無線フレームの期間内に、該無線基地局とは異なる無線基地局からの無線信号を受信して評価する評価手段を備えたことを特徴とする移動局。
（付記６）
前記移動局は、前記不連続的な無線フレームを特定可能な情報を前記無線基地局から通知されることを特徴とする付記５記載の移動局。
【００７１】
（付記７）
移動局と基地局との間でパケット通信を行う無線通信システムに於いて、前記移動局と前記基地局の何れか一方又は両方は、パケット送信の可能性のあるフレーム位置を通知する手段を備え、且つ前記移動局は、前記パケット送信の可能性のあるフレーム位置以外のパケット送信の可能性のないフレーム位置に於いて周辺セル検出モードに移行する手段を備えたことを特徴とする無線通信システム。
（付記８）
前記移動局と前記基地局との間で、１回のシグナリングにより、前記パケット送信の可能性のあるフレーム位置を通知する手段を備えたことを特徴とする付記７記載の無線通信システム。
（付記９）
前記移動局と前記基地局との間で取り決めたパケット送信の可能性のあるフレーム位置に、実際にパケット送信が行われた時、次のフレーム位置もパケット送信の可能性のあるフレーム位置と判定し、パケット送信の可能性のあるフレーム位置に実際にフレーム送信がない時、次のフレーム位置はパケット送信の可能性がないフレーム位置と判定して、該パケット送信の可能性がないフレーム位置に於いて周辺セル検出モードに移行する手段を前記移動局は備えていることを特徴とする付記７記載の無線通信システム。
（付記１０）
前記パケット送信のフレーム周期とオフセット値とを基に、前記パケット送信の可能性のあるフレーム位置を通知すると共に、前記フレーム周期と前記オフセット値との少なくとも何れか一方を、前記移動局と前記基地局との少なくとも何れか一方に対応して相違させて前記移動局と前記基地局との間で通知する手段を前記移動局と前記基地局との少なくとも何れか一方に備えていることを特徴とする付記７記載の無線通信システム。
【００７２】
（付記１１）
移動局との間でパケット通信を行う基地局に於いて、前記移動局に対してパケット送信の可能性のあるフレーム位置を通知する手段と、該手段を前記移動局からの受信品質情報が閾値以下に低下したことを検出した時に起動する制御手段とを備えたことを特徴とする基地局。
（付記１２）
前記パケット送信の可能性のあるフレーム位置を通知する手段は、セル又はセクタ対応に、前記パケット送信の可能性のあるフレーム位置を示す周期とオフセット値との少なくとも何れか一方を相違させて前記移動局に通知する構成を有することを特徴とする付記１１記載の基地局。
（付記１３）
前記パケット送信の可能性のあるフレーム位置を示す周期とオフセット値との少なくとも何れか一方を、前記移動局対応に相違させて通知する手段を備えたことを特徴とする付記１１記載の基地局。
【００７３】
（付記１４）
基地局との間でパケット通信を行う移動局に於いて、前記基地局から受信して受信品質を検出し、該受信品質が閾値以下に低下した時に、前記基地局に周辺セル検出モード移行要求を送信する手段と、前記基地局との間で通知したパケット送信の可能性のあるフレーム位置から前記パケット送信の可能性のないフレーム位置を判定し、該パケット送信の可能性のないフレーム位置に於いて周辺セル検出モードに移行する手段を備えたことを特徴とする移動局。
（付記１５）
前記基地局から受信して受信品質を測定する測定手段と、該測定手段により測定した受信品質の情報を前記基地局へ送信する手段と、前記受信品質と閾値とを比較する比較手段と、該比較手段により前記受信品質が閾値以下に低下したことを検出した時に周辺セル検出モード移行要求を前記基地局に送信する手段と、前記基地局との間で通知した周期とオフセット値とを基にしたパケット送信の可能性のあるフレーム位置の情報に従って、前記パケット送信の可能性のないフレーム位置を識別し、該パケット送信の可能性のないフレーム位置に於いて周辺セル検出モードに移行する手段とを備えたことを特徴とする付記１４記載の移動局。
（付記１６）
前記基地局との間で通知したパケット送信の可能性のあるフレーム位置に、実際にパケット送信が行われた時、次のフレーム位置もパケット送信の可能性のあるフレーム位置と判定し、パケット送信の可能性のあるフレーム位置に実際にフレーム送信がない時、次のフレーム位置はパケット送信の可能性がないフレーム位置と判定し、該パケット送信の可能性がないフレーム位置に於いて周辺セル検出モードに移行する手段を備えたことを特徴とする付記１４記載の移動局。
【符号の説明】
【００７４】
ＢＳ１，ＢＳ２  基地局
ＭＳ  移動局
１  送受信アンテナ
５  多重部
６  変調部
７  制御部
８  パイロットチャネル生成部
９，１０  チャネル符号化部
１１  シグナルチャネル生成部
１２  パケット生成部
１３  スケジューラ
２０  チャネル分離部
２１  移動局対応処理部
２６  パイロット復調部
２７  フィードバックチャネル復調部
２８  データチャネル復調部
【図１】
0005510474.tif 000002
【図２】
0005510474.tif 000003
【図３】
0005510474.tif 000004
【図４】
0005510474.tif 000005
【図５】
0005510474.tif 000006
【図６】
0005510474.tif 000007
【図７】
0005510474.tif 000008
【図８】
0005510474.tif 000009
【図９】
0005510474.tif 000010
【図１０】
0005510474.tif 000011